(57)【要約】  クッション装置は、第１の複数の粘弾性部材（１３０、１３５）に取付けられる第１の材料層（１２０）を含む。第２の材料層（１２５）が第２の複数の粘弾性部材（１３０、１３５）とともに取付けられる。材料壁（１１０）は、第１の材料層（１２０）および第２の材料層（１２５）を取り囲む。第１の充填材料（３１０）は、第１の材料層（１２０）と第２の材料層（１２５）との間に配置される。
2014525316.tif 000002
【特許請求の範囲】
【請求項１】
第１の複数の粘弾性部材（１３０、１３５）と結合された第１の材料層（１２０）と；
第２の複数の粘弾性部材（１３０、１３５）と結合された第２の材料層（１２５）と；
前記第１の材料層（１２０）および前記第２の材料層（１２５）を取り囲む材料壁（１１０）と；
前記第１の材料層（１２０）と前記第２の材料層（１２５）との間に配置された第１の充填材料（３１０）とを含む、クッション装置。
【請求項２】
前記第１の材料層（１２０）の頂部部分に結合された第３の材料層（１４０）と；
前記第２の材料層（１２５）の底部部分に結合された第４の材料層（１４５）とをさらに含む、請求項１に記載のクッション装置。
【請求項３】
前記材料壁（１１０）は弾性材料を含み、前記弾性材料は、ポリウレタンを含有するポリマーから形成される合成繊維材料を含む、請求項１に記載のクッション装置。
【請求項４】
前記第１の複数の粘弾性部材（１３０、１３５）は第１の対向する粘弾性部材の対を含み、前記第２の複数の粘弾性部材（１３０、１３５）は第２の対向する粘弾性部材の対を含む、請求項１に記載のクッション装置。
【請求項５】
前記第１の対向する粘弾性部材の対の各部材（１３０、１３５）および前記第２の対向する粘弾性部材の対の各部材（１３０、１３５）は、前記材料壁（１１０）の縁部から予め定められた距離を変位させられる、請求項４に記載のクッション装置。
【請求項６】
前記第１の材料層（１２０）と前記第２の材料層（１２５）との間に配置された第２の充填材料（１０１０）をさらに含み、前記第２の充填材料は前記クッション装置の堅固さを調整する、請求項５に記載のクッション装置。
【請求項７】
前記第１の材料層（１２０）および前記第２の材料層（１２５）は、各々、粘弾性材料を含む、請求項１に記載のクッション装置。
【請求項８】
前記第１の対向する粘弾性部材の対の各部材（１３０、１３５）は、前記第１の材料層（１２０）以上の厚みを有し、前記第２の対向する粘弾性部材の対の各部材（１３０、１３５）は、前記第２の材料層（１２５）以上の厚みを有する、請求項７に記載のクッション装置。
【請求項９】
変動する厚みを有する第１の材料層（１２０）を含み、前記第１の材料層は少なくとも１つの粘弾性材料を含み；さらに、
第２の材料層（１２５）と；
前記第１の材料層および前記第２の材料層を取り囲む材料壁（１１０）と；
前記第１の材料層と前記第２の材料層との間に配置された第１の充填材料（３１０）とを含む、クッション装置。
【請求項１０】
前記第２の材料層（１２５）は少なくとも１つの粘弾性材料を含む、請求項９に記載のクッション装置。
【請求項１１】
前記第１の材料層（１２０）の頂部部分に結合された第３の材料層（１４０）をさらに含む、請求項９に記載のクッション装置。
【請求項１２】
前記第２の材料層（１２５）の底部部分に結合された第４の材料層（１４５）をさらに含む、請求項１１に記載のクッション装置。
【請求項１３】
前記材料壁（１１０）は弾性材料を含み、前記弾性材料は、ポリウレタンを含有するポリマーから形成される合成繊維材料を含む、請求項９に記載のクッション装置。
【請求項１４】
前記第１の材料層（１２０）は、第１の対向する粘弾性部材（１３０、１３５）の対を含む、請求項９に記載のクッション装置。
【請求項１５】
前記第１の対向する粘弾性部材の対の各部材（１３０、１３５）は、前記材料壁（１１０）の縁部から予め定められた距離を変位させられる、請求項１４に記載のクッション装置。
【請求項１６】
前記第１の材料層（１２０）と前記第２の材料層（１２５）との間に配置された第２の充填材料（１０１０）をさらに含み、前記第２の充填材料は前記クッション装置の堅固さを調整する、請求項１５に記載のクッション装置。
【請求項１７】
対向する粘弾性部材の第１の対（１３０、１３５）と結合された第１の粘弾性材料層（１２０）と；
対向する粘弾性部材の第２の対（１３０、１３５）と結合された第２の粘弾性材料層（１２５）と；
前記第１の材料層および前記第２の材料層を取り囲む材料壁（１１０）とを含み、前記材料壁は、ポリウレタンを含有するポリマーから形成される合成繊維材料を含み；さらに、
前記第１の材料層と前記第２の材料層との間に配置された第１の充填材料（３１０）を含む、支持枕。
【請求項１８】
前記第１の材料層（１２０）の頂部部分に結合された第３の材料層（１４０）と；
前記第２の材料層（１２５）の底部部分に結合された第４の材料層（１４５）とをさらに含む、請求項１７に記載の支持枕。
【請求項１９】
前記第１の対向する粘弾性部材の対の各部材（１３０、１３５）および前記第２の対向する粘弾性部材の対の各部材（１３０、１３５）は、前記材料壁（１１０）の縁部から予め定められた距離を変位させられる、請求項１７に記載の支持枕。
【請求項２０】
前記第１の材料層（１２０）と前記第２の材料層（１２５）との間に配置された第２の充填材料（１０１０）をさらに含み、前記第２の充填材料はクッション装置の堅固さを調整する、請求項１９に記載の支持枕。
【請求項２１】
第１の複数の粘弾性部材（１４２０）および第２の複数の粘弾性部材（１４２５）と結合された第１の材料層（１４３０）と；
前記第１の材料層（１４３０）を取り囲む材料壁（１４４０）と；
前記第１の材料層（１４３０）の第１の側および前記第１の材料層（１４３０）の第２の側に結合された第１の充填材料（１６１０）とを含む、クッション。
【請求項２２】
前記材料壁（１４４０）の頂部部分に結合された第２の材料層（１４１０）と；
前記材料壁（１４４０）の底部部分に結合された第３の材料層（１４１５）とをさらに含む、請求項２１に記載のクッション。
【請求項２３】
前記材料壁（１４４０）は弾性材料を含み、前記弾性材料は、ポリウレタンを含有するポリマーから形成される合成繊維材料を含む、請求項２１に記載のクッション。
【請求項２４】
前記第１の複数の粘弾性部材（１４２０）は、第１の対向する粘弾性部材の対を含み、前記第２の複数の粘弾性部材（１４２５）は、第２の対向する粘弾性部材の対を含む、請求項２１に記載のクッション。
【請求項２５】
前記第１の対向する粘弾性部材の対の各部材（１４２０）、および前記第２の対向する粘弾性部材の対の各部材（１４２５）は、前記材料壁（１４４０）の縁部から予め定められた距離を変位させられる、請求項２４に記載のクッション。
【請求項２６】
前記充填材料（１６１０）とともに分散された浮遊材料（１０２０）をさらに含む、請求項２５に記載のクッション。
【請求項２７】
前記第１の材料層（１４３０）は粘弾性材料を含む、請求項２１に記載のクッション。
【請求項２８】
前記第１の対向する粘弾性部材の対の各部材（１４２０）は、前記第１の材料層（１４３０）以上の厚みを有し、前記第２の対向する粘弾性部材の対の各部材（１４２５）は、前記第１の材料層（１４３０）以上の厚みを有する、請求項２７に記載のクッション。
【発明の詳細な説明】
【技術分野】
【０００１】
発明の分野
この発明は一般にクッションに関し、特に、能動的な複数位置支持クッションに関する。
【背景技術】
【０００２】
発明の背景
休息または睡眠のために用いられるクッションが、枕において用いられる。ほとんどのクッションは、睡眠中のユーザの頭部または解剖学的構造の他の所望の部分を支持するための充填部分を含む。いくつかの枕は、枕に載置されるユーザの頭部を支持するために記憶フォームを用いる。ユーザが枕から頭部を離すと、枕は元の形状に復帰する。これらの枕は典型的にはその上に置かれた重量に応答し、重量を記憶フォームの厚みまたは密度に基づいて受動的にのみ支持する。
【発明の概要】
【課題を解決するための手段】
【０００３】
この発明はクッション装置を提供する。一実施例においては、この発明は、第１の複数の粘弾性部材とともに取付けられた第１の材料層を含む。第２の材料層は第２の複数の粘弾性部材とともに取付けられる。材料壁は第１の材料層および第２の材料層を取り囲む。第１の充填材料は第１の材料層と第２の材料層との間に配置される。
【０００４】
別の実施例においては、この発明は、変動する厚みを有する第１の材料層を含むクッション装置を提供する。第１の材料層は少なくとも１つの粘弾性材料を含む。第２の材料層が含まれる。材料壁は第１の材料層および第２の材料層を取り囲む。第１の充填材料は第１の材料層と第２の材料層との間に配置される。
【０００５】
一実施例においては、この発明は、対向する粘弾性部材の第１の対と結合された第１の粘弾性材料層を含む支持枕を提供する。第２の粘弾性材料層は、対向する粘弾性部材の第２の対と結合される。材料壁は第１の材料層および第２の材料層を取り囲む。材料壁は、ポリウレタンを含有するポリマーから形成される合成繊維材料を含む。第１の充填材料は第１の材料層と第２の材料層との間に配置される。
【０００６】
この発明の他の局面および利点は以下の詳細な記載から明らかになり、それは、図面と関連して、この発明の原理を例として示す。
【図面の簡単な説明】
【０００７】
【図１】この発明の実施例に従う、能動的支持クッションの分解図を示す。
【図２Ａ】この発明の実施例に従う、図１に示されるクッション装置の材料層の上面図を示す。
【図２Ｂ】この発明の実施例に従う、図１に示されるクッション装置の２つの層の分解図を示す。
【図３】この発明の実施例に従う、クッション装置の正面断面図を示す。
【図４】この発明の実施例に従う、クッション装置の側面断面図を示す。
【図５】この発明の実施例に従う、頭部が側臥位でクッション装置上にある状態で示される、クッション装置の側面断面図を示す。
【図６】この発明の実施例に従う、頭部が仰臥位でクッション装置上にある状態で示される、クッション装置の背面断面図を示す。
【図７】この発明の実施例に従う、図５および図６に示されるクッション装置上における頭部位置の比較を示す。
【図８Ａ】この発明の実施例に従う、安定状態におけるクッション装置の上側部分の上面図を示す。
【図８Ｂ】この発明の実施例に従う、力が矢印の方向にかけられた、図８Ａのクッション装置の上側部分の上面図を示す。
【図９Ａ】この発明の実施例に従う、安定状態におけるクッション装置の上側部分の底面図を示す。
【図９Ｂ】この発明の実施例に従う、力が矢印の方向にかけられた、図９Ａのクッション装置の上側部分の底面図を示す。
【図１０】この発明の実施例に従う、堅固化充填要素を含むクッション装置の正面断面図を示す。
【図１１Ａ】この発明の実施例に従う、クッションカバーを含むクッション装置の背面図を示す。
【図１１Ｂ】この発明の実施例に従う、クッションカバーを含む、図１１Ａに示されるクッション装置の正面図を示す。
【図１２】この発明の実施例に従う、延ばされたクッション装置の上面図を示す。
【図１３】この発明の実施例に従う、図１２の延ばされたクッション装置を含む斜視図を示す。
【図１４】この発明の実施例に従う、別の能動的支持クッションの分解図を示す。
【図１５】この発明の実施例に従う、材料壁部分において中央に置かれたクッション装置の斜視図を示す。
【図１６】この発明の実施例に従う、クッション装置の正面断面図を示す。
【発明を実施するための形態】
【０００８】
発明の詳細な記載
この発明は、姿勢および支持を改善するためのクッション装置を提供する。この発明の一実施例はクッション装置を含む。一実施例においては、この発明は、第１の複数の粘弾性部材とともに取付けられた第１の材料層を含む。第２の材料層は第２の複数の粘弾性部材とともに取付けられる。材料壁は第１の材料層および第２の材料層を取り囲む。第１の充填材料は第１の材料層と第２の材料層との間に配置される。
【０００９】
図１は、この発明の実施例に従う、能動的支持クッション装置１００の分解図を示す。一例においては、能動的支持クッション装置１００は、第１の層１２０、第２の層１２５、ならびに第１の材料層１２０および第２の材料層１２５を取り囲む材料壁１１０を含む。一例においては、第１の材料層１２０および第２の材料層１２５は、記憶フォーム、ウレタンフォームまたは他の同様の材料のような粘弾性材料を含む。この発明の一実施例においては、第１の材料層１２０および第２の材料層１２５は、各々、粘弾性部材１３０および１３５を含む。一例においては、粘弾性材料は記憶フォームまたは他の同様の材料を含む。
【００１０】
この発明の一実施例においては、第１の材料層１２０は第１の材料層１２０の底部部分において粘弾性部材１３０および１３５を含み、第２の材料層１２５は第２の材料層１２０の頂部部分において粘弾性部材１３０および１３５を含む。一例においては、第１の材料層１２０および第２の材料層１２５は、各々、湾曲した形状を有する。別の例においては、粘弾性部材１３０および１３５は、互いを鏡映する湾曲形状または涙滴形状を有してもよい。
【００１１】
この発明の一実施例においては、粘弾性部材１３０および１３５は材料壁１１０の縁部から予め定められる距離を変位させられる。一例においては、粘弾性部材１３０および１３５は、材料壁１１０の縁部から１０ｍｍ〜２０ｍｍの範囲の距離を変位させられる。一例においては、粘弾性部材１３０および１３５を材料壁から予め定められる距離、たとえば２０ｍｍ〜４０ｍｍに配置することは、時間および変位制御伸長を可能にする。この発明の一実施例においては、粘弾性部材１３０および１３５は、互いから２０ｃｍ〜３０ｃｍの範囲の距離だけ離れている。
【００１２】
この発明の一実施例においては、粘弾性部材１３０および１３５は、第１の材料層１２０および第２の材料層１２５の厚みと等しいかまたはそれより大きい厚みを有してもよい。一例においては、第１の材料層１２０および第２の材料層１２５の厚みは８ｍｍ〜１５ｍｍの範囲であり、粘弾性部材１３０および１３５の厚みは８ｍｍ〜１５ｍｍの範囲である。各粘弾性部材１３０および１３５の寸法は、長さ３０ｃｍ〜４０ｃｍ、および幅１２ｃｍ〜１６ｃｍの範囲であってもよい。
【００１３】
この発明の一実施例においては、粘弾性部材１３０および１３５は、能動的支持クッション装置１００の対向する端部上に配置される粘弾性部材の対である。粘弾性部材１３０および１３５の対が示されているが、他の例は２つを超える粘弾性部材１３０および１３５を含んでもよいことが注目されるべきである。一例においては、各粘弾性部材１３０および１３５は複数の個々の粘弾性部材を含んでもよい。
【００１４】
この発明の一実施例においては、粘弾性部材１３０および１３５は、第１の材料部材１２０および第２の材料部材１２５に、接着剤、熱溶接、成型などを介して取付けられる。この発明の一実施例においては、粘弾性部材１３０および１３５ならびに第１の材料層および第２の材料層は、単一のユニットとして形成される。一例においては、第１の材料層および第２の材料層は、８ｍｍ〜２０ｍｍの範囲の、変動する厚みを有する。
【００１５】
この発明の一実施例においては、材料壁１１０は、ＳＰＡＮＤＥＸ（登録商標）、綿ライクラ混合物、ポリプロピレン−ＳＰＡＮＤＥＸ（登録商標）混合物または他の同様の材料のような、ポリウレタンを含有するポリマーから形成される合成繊維材料を含む。この発明の他の実施例においては、材料壁は非弾性である。一例においては、材料壁１１０は、粘弾性部材１３０および１３５を含む第１の材料層１２０、ならびに粘弾性部材１３０および１３５を含む第２の材料層１２５と相互に作用して、ユーザの解剖学的構造（たとえば頭部）が能動的支持クッション装置１００の上に置かれたときにそれを能動的に支持する。
【００１６】
この発明の一実施例においては、能動的支持クッション装置１００は第３の材料層１４０および第４の材料層１４５を含んでもよい。一例においては、第３の材料層１４０は第１の材料層１２０を覆うために所望の材料を含んでもよく、第４の材料層１４５は第２の材料層１２５を覆うために所望の材料を含んでもよい。一例においては、所望の材料は、綿、絹、チーズクロス、合成材料などを含んでもよい。
【００１７】
図２Ａは、この発明の実施例に従う、能動的支持クッション装置１００の粘弾性部材１３０および１３５を含む第１の材料層１２０の、断面線６−６および７−７を伴う上面図を示す。図２Ｂは、この発明の実施例に従う、粘弾性部材１３０および１３５を含む第１の材料層１２０、ならびに粘弾性部材１３０および１３５を含む第２の材料層１２５の分解図を示す。一例においては、第１の材料層１２０および第２の材料層１２５は、互いを鏡映する。
【００１８】
図３は、この発明の実施例に従う、線７−７（図２Ａ）を通って示された能動的支持クッション装置３００の正面断面図を示す。一例においては、能動的支持クッション装置３００は充填材料３１０を含む。一例においては、充填材料３１０は、羽毛、合成羽毛、綿、羊毛、フォーム、ラテックス、ポリエステル、エチレン酢酸ビニル（ＥＶＡ）フォーム、セルロース、有機材料、殻／外皮（たとえば、ソバ、豆の新芽、雑穀、カポックなど）、ポリオレエン（polyoleen）、無機材料などを含んでもよい。この発明の一実施例においては、充填材料３１０は、保護材料で取り囲まれるか、または保護袋に配置される。一例においては、保護被覆または保護袋によって、羽柄または他の羽毛部分のような充填材料３１０の一部が第１の材料層１２０および第２の材料層１２５を通って突出するのを防ぐ。
【００１９】
一例においては、充填材料３１０は、粘弾性部材１３０および１３５を伴う第１の材料層１２０と、粘弾性部材１３０および１３５を伴う第２の材料層１２５と、弾性壁１１０との間の容積を満たす。図４は、この発明の実施例に従う、線６−６（図２Ａ）を通って示された能動的支持クッション装置３００の側面断面図を示す。
【００２０】
第１の材料層１２０は粘弾性部材１３０および１３５を含んでいるので、第１の材料層の上側表面は変動する可撓性または伸長特性の領域を有する。一例においては、弾性壁１１０は、（たとえばユーザの頭部の重量から）かけられた力に対して、能動的支持クッション装置３００の第１の材料層１２０および第２の材料層１２５を取り囲む弾性の特性により、応答する。この発明の一実施例においては、第１の材料層１２０ならびに粘弾性部材１３０および１３５は、フォーム対フォーム積層されて、第１の材料層１２０の伸長を制限し、内部充填物に「浮揚」効果を加える。粘弾性部材１３０および１３５の形状は、どのようにおよびどこで弾性の構成が行なわれるかに直接影響する。これは、弾性壁１１０を引く張力の度合上にも影響がある。
【００２１】
この発明の一実施例においては、用いられる充填材料３１０の量は、人の頭部が支持クッション装置３００の中央に沈み込み載置される深さを制御する。一例においては、第１の量の充填材料３１０は、人の頭部が支持クッション装置３１０の中央に沈み込む深さを５〜６ｃｍに制御する。他の例においては、ある量の充填材料３１０を用いて、人の頭部が支持クッション装置３１０の中央に沈み込む深さを３〜４ｃｍまたは２〜３ｃｍに制御する。
【００２２】
図５は、この発明の実施例に従う、頭部５１０が側臥位で能動的支持クッション装置３００上にある状態で示される、能動的支持クッション装置３００の線６−６（図２Ａ）に沿った側面断面図を示す。破線５２０は、頭部５１０が能動的支持クッション装置３００の上に配置された後の第１の材料層１２０の伸長された位置を表す。
【００２３】
一例においては、頭部５１０の重量は第１の材料層１２０を能動的支持クッション装置３００の中心に向かって伸長し、粘弾性部材１３０および１３５は伸長を制御し、一方、能動的な壁１１０は二方向に作用して、それが元の状態に復帰しようとするなか、両側において押したり引き戻したりすることによって、支持を加える。第２の材料層１２５ならびに粘弾性部材１３０および１３５の、ある部分は、頭部５１０の重量と、伸長されていない状態に復帰しようとする第１の材料層１２０、第２の材料層１２５、粘弾性部材１３０および１３５、ならびに弾性壁１１０の対向する力とにより、上向きに伸長される。粘弾性部材１３０および１３５を能動的な壁１１０と関連して含む能動的支持クッション装置３００は、頭部５１０の重量に対する抵抗の速度を動的に制御する。能動的な壁１１０の構造はトランポリンのばねおよび枠として作用し、第１の材料層１２０および第２の材料層１２５は保護するように支える表面である状態であり、それらは、互いとのみならず、それらがそれらの間において内側に捕捉する充填材料３１０とも協調して働く。充填材料３１０は圧縮し、頭部５１０の対向する力から逃げ、記憶保持力のある材料を充填し、それに抗して拡張する。これはバルーン状の材料を形成して、ユーザの首および顎部領域のような空間を満たす。
【００２４】
能動的クッション装置３００の要素の各材料は、異なる双方向伸張を有し、記憶速度は、それが頭部５１０の大きさ、形状および位置に対して応答すると、作用し始める。力および速度および復帰する記憶に抗する速度および抵抗は、一旦ユーザの筋肉が緩められ、重力が制御状態になると、ユーザの動きの感覚および解剖学的な位置決めに影響する。能動的なクッション装置３００は、液体のような状態において波打つ動作なく浮揚しているような感覚をユーザに与え、しかしながら、いかなる睡眠姿勢においても頭部５１０を浮揚させる、浮遊される、保護するように支える支持をユーザに与える。頭部５１０によって変位させられた、膨らんで詰め物のない領域内に圧搾される材料は、頭部５１０、首および顎部の不規則な形状に一致する一様な支持を与える。頭部５１０の熱および重量によってもたらされる、能動的な壁１１０および粘弾性フォームの対向する力は、結果として、抵抗および復帰の予測可能な速度、ならびに頭部５１０の位置がある載置場所の深さをもたらす。
【００２５】
図６は、この発明の実施例に従う、頭部５１０が仰臥位で能動的支持クッション装置３００上にある状態で示される、能動的支持クッション装置３００の線７−７（図２Ａ）に沿った背面断面図を示す。破線６１０は、能動的支持クッション装置３００の中間の部分における頭部５１０の深さおよび輪郭を表す。破線６１０より上の破線は、頭部５１０が能動的支持クッション装置３００の上に置かれた後の第１の材料層１２０の伸長された位置を表す。一例においては、頭部５１０の重量は第１の材料層１２０を能動的支持クッション装置３００の中心に向かって伸長し、粘弾性部材１３０および１３５は伸長を制御し、一方、能動的な壁１１０は二方向に作用して、それが元の状態に復帰しようとするなか、両側において押したり引き戻したりすることによって、支持を加える。粘弾性部材１３０および１３５の隣の破線は、頭部５１０が能動的支持クッション装置３００の上に置かれたときの粘弾性部材１３０および１３５の伸長された位置を表す。能動的支持クッション装置３００の第１の材料層１２０ならびに粘弾性部材１３０および１３５は、粘弾性フォームの厚いブロックを形成しないので、材料は頭部５１０の重量の力および温度の下でしか伸縮し得ない。これは、第１の材料層１２０を、伸長させ、下へ曲げて、第１の材料層、第２の材料層ならびに粘弾性部材１３０および１３５の粘弾性フォームシート物を取り囲む能動的な壁１１０の双方向ファブリックによって拘束されていない、下にある充填材料３１０内に入らせる。
【００２６】
頭部５１０の熱および重量によってもたらされる、能動的な壁１１０ならびに第１の材料層１２０、第２の材料層およびそれぞれの粘弾性部材１３０および１３５の対向する力は、結果として、抵抗および復帰の予測可能な速度、ならびに頭部５１０の位置がある載置場所の深さを生じさせる。双方向の能動的な壁１１０が、第１の材料層１２０、第２の材料層１２５ならびにそれぞれの粘弾性部材１３０および１３５の双方向の記憶保持力のある粘弾性フォームとともに、頭部５１０の形状、大きさ、重量および温度に対して応答する状態なので、記憶保持力のある粘弾性フォーム対解剖学的位置の対向する力は、頭部５１０の中心が能動的な壁１１０の周囲に対して有する距離と直接的な相互作用を有する。これは、人がトランポリンの中央で、またはトランポリンの周囲におけるばねの縁部の近くで弾むときに達成する効果に非常に似たように作用する。
【００２７】
図７は、この発明の実施例に従う、仰臥位（図６）および側臥位（図５）における能動的支持クッション装置３００上における頭部５１０位置の比較を示す。頭部５１０がこの仰臥位（図６）にあるとき、頭蓋の半径は、クッション装置３００上の占有面積を、頭蓋がその側部を下にした場合よりも小さくする。好ましい頚部の湾曲を達成するために、背中を下にしているときは、頭蓋はより深い載置位置に来る必要がある。図６に示されるように粘弾性部材１３０と１３５との間の中央位置においては、頭蓋は、「トランポリン」の中心をその最も遠い点に伸張するように最大限にすることが可能である。図５は、側臥睡眠位に転動した人の結果を示す。この解剖学的な移動は、頭蓋を顔の側部が下になるように転動させて、クッション装置３００の中心から遠ざける。一旦頭部５１０が転動すると、それは頭部５１０を粘弾性部材１３０または１３５より上に置き、それは第１の材料層１２０の伸長を制限する。この位置は、能動的な壁１１０にも接近している。低減された伸張能力との組合せで、クッション装置３００の粘弾性部材１３０または１３５の層のさらなる浮揚効果は、能動的な壁１１０のより大きな引きとともに、頭部５１０をクッション装置３００の粘弾性部材１３０または１３５の層間の領域においてよりも高い深さに載置させる。
【００２８】
図８Ａは、この発明の実施例に従う、安定状態での能動的支持クッション装置１００／３００の上側部分の上面図を示す。図８Ｂは、この発明の実施例に従う、矢印の方向にかけられる力とともに示される、図８Ａの能動的支持クッション装置１００／３００の上側部分の上面図を示す。図８Ａは、第１の材料層１２０ならびに粘弾性部材１３０および１３５を含む粘弾性フォームのシートの、その中央および縁部において伸張する差を例示する。図８Ａは、周囲が、第１の材料層１２０ならびに粘弾性部材１３０および１３５の粘弾性フォームシート物の周囲で対向する力をかける手段として、能動的な壁１１０の双方向ファブリックに取付けられる、という仮定を例示する。一旦、力が、第１の材料層１２０ならびに粘弾性部材１３０および１３５の粘弾性フォームシート物にかけられると、シートが能動的な壁１１０に取付けられているシートの外側縁部から距離が遠いほど、円はさらに離れる。このトランポリン効果は、図８Ａ、図８Ｂ、ならびに図９Ａおよび図９Ｂによって示される。
【００２９】
図９Ａは、この発明の実施例に従う、安定状態における能動的支持クッション装置１００／３００の上側部分の底面図を示す。図９Ｂは、この発明の実施例に従う、矢印８２０の方向にかけられる力とともに示される、図９Ａの能動的支持クッション装置１００／３００の上側部分の底面図を示す。
【００３０】
図１０は、この発明の実施例に従う、堅固化充填要素１０１０を含む能動的支持クッション装置１０００の線７−７に沿った正面断面図を示す。一例においては、堅固化充填要素１０１０は、繊維充填物／ポリ充填物または同様の材料を含んでもよい。この発明の一実施例においては、堅固化充填要素は、第１の材料層１２０および第２の材料層１２５から等距離であるように充填物３１０において中央に置かれる。一例においては、堅固化充填物１０１０は、能動的支持クッション装置１０００の長さおよび幅にわたる１つ以上の一体的な部材を含んでもよい。別の例においては、堅固化充填物は、充填物３１０内において不均一に分散してもよい。一例においては、充填物３１０材料がともに凝集することを低減または防止するために、浮遊充填材料１０２０が充填物３１０とともに分散される。一例においては、浮遊充填材料１０２０は、繊維材料、羊毛材料、フォーム材料などを含んでもよい。一例においては、浮遊充填材料１０２０は充填物３１０材料または要素がともに固着しないように分離して、充填物３１０材料が膨らんだ状態のままであることを可能にする。充填物３１０の他の例は、天然のマット材料または原綿／合成繊維の巻物やシートで作った詰め物材料、空気、液体、ゲルなど充填した袋などを含む。
【００３１】
一例においては、浮遊充填材料１０２０を充填物３１０間において使用して、「ロフト（膨らみ）」効果を浮遊させ形成する。浮遊充填材料１０２０は、浮遊充填材料１０２０からなる記憶保持力のある玉がともに集まらないようにし、クッション装置１０００の全体的な充填物の膨らみを制御することが可能である材料の混合を有する、記憶保持力のある充填材料として作用する人工羽毛およびダウン関係を、組合せにおいて形成する。組合せられた充填物３１０および浮遊充填材料１０２０は、羽毛がダウン羽毛間において分離層として作用する、天然羽毛およびダウン羽毛が組合せにおいて有するのと同じ関係を形成する。ダウンは、組合せに膨らみを与え、一方、羽毛は、混合物に分離浮遊材を与える。一例においては、浮遊充填材料１０２０は、充填材料３１０の圧縮の速度および復帰の速度を制御するために異なる比において混合されてもよい寸断されたプラスチックシート物と組合せられたマイクロファイバー合成玉を含む。組合せは２つの局面を有する：１）充填物３１０のデュロメータを制御する；および２）記憶保持力のある材料の玉が、ともに集まらず、内部空間を組合せにおいて記憶保持力のない材料で充填しないようにする。小さな寸断された非常に薄いプラスチックシート物によって分離された合成マイクロファイバーポリ充填物の小さな玉の混合物は、クッション装置１０００の全体の厚みおよび密度を制御することが可能である。クッション装置１０００の双方向バルーン状の囲いに包まれている充填材料３１０の組合せは、身体部分の力によって変位させられ、双方向ファブリックおよび粘弾性フォームの内側表面を押して、人体の解剖学的構造の不均一な形状およびそのまわりを充填するためにそれら表面を外方向に押す。
【００３２】
図１１Ａは、この発明の実施例に従う、クッションカバー１１１０を含む、能動的支持クッション装置１００／３００／１０００の背面図を示す。一例においては、クッションカバー１１１０は、クッションカバー１１１０を開閉するための手段１１２０を含む。クッションカバー１１１０を開閉するための手段１１２０は、ジッパー、面ファスナ、ボタン、スナップ、磁石などを含んでもよい。クッションカバー１１１０は、絹、綿、合成および天然の混合繊維、羊毛などのような任意の望ましい材料から形成されてもよい。クッションカバー１１１０を開閉するための手段１１２０は、クッションカバー１１１０の交換、クリーニングなどのために、能動的支持クッション装置１００／３００／１０００の除去／挿入を可能にする。図１１Ｂは、図１１Ａにおいて示されるクッションカバー１１１０を含む、能動的支持クッション装置１００／３００／１０００の正面図を示す。
【００３３】
能動的支持クッション装置１００／３００／１０００を含む上記の実施例は、第１の材料層１２０および粘弾性部材１３０および１３５、ならびに第２の材料層１２５および粘弾性部材１３０および１３５特性を横方向において用い、ユーザの頭部を、回転している間でも、（頭部重量にかかわらず）「浮遊させる」。第１の材料層１２０および粘弾性部材１３０および１３５ならびに第２の材料層１２５および粘弾性部材１３０および１３５の特性は、第１の材料層１２０および粘弾性部材１３０および１３５ならびに第２の材料層１２５および粘弾性部材１３０および１３５の材料内への抵抗なく、一貫した快適さを形成する。充填物３１０は、快適層（柔軟な基材）を加え、それはユーザの頭部を支持し、充填材料３１０および材料壁１１０を通る通気を可能にする。通気は蓄熱を防ぐ。その純効果は、能動的支持クッション装置１００／３００／１０００の使用が、ユーザの頭部がその下の支持であたかも「浮揚している」かのように感じて、首および頭部の筋肉の自然な緩和を可能にすることである。能動的支持クッション装置１００／３００／１０００は、すべての睡眠姿勢に対して、同じまたは同様の結果を伴って用いられるであろう。
【００３４】
図１２は、この発明の実施例に従う、延ばされた能動的支持クッション装置１２００の上面図を示す。この発明の一実施例においては、能動的支持クッション装置１２００は、第１の材料層１２１０、粘弾性部材１２２０および１２２５、ならびに第１の材料層１２１０の延ばされた中央部分１２３０を含む。一例においては、能動的支持クッション装置１２００は、延ばされた中央部分１２３０の上側層および下部層上に配置された上側および下側粘弾性部材１２２０および１２２５を含む。一例においては、能動的支持クッション装置１２００は、図１〜図４において示され、上に記載された実施例と類似している。支持クッション装置１２００のこの実施例は図１において例示されたクッション装置１００とさまざまな局面において類似しているが、ただし、前者は、鏡像のインゲンマメ形状を有し、したがって、支持クッション装置１２００はどちらの側からも用いることが可能であり、ユーザの首および肩の下に適切に位置するように回転させられる必要はない。支持クッション装置１２００は、さらに、標準の枕カバーを充填するように矩形を有する標準クッションと同様の外観を与える。一例においては、支持クッション装置１２００は、両側が形状において等しいように、インゲンマメ状形状を伴う２つの重複するクッション装置１００（図１）の形状を有する。一例においては、支持クッション装置１２００は、うつ伏せで眠りたい人に対して、クッション装置１００より有利である。
【００３５】
図１３は、この発明の実施例に従う、クッションカバー１３１０を含む能動的支持クッション装置１３００の斜視図を示す。一例においては、クッションカバー１３１０は、クッションカバー１３１０を開閉するための手段１３２０を含む。クッションカバー１３１０を開閉するための手段１３２０は、ジッパー、面ファスナ、ボタン、スナップ、磁石などを含んでもよい。クッションカバー１３１０は、絹、綿、合成および天然の混合繊維、羊毛などのような任意の望ましい材料から形成されてもよい。クッションカバー１３１０を開閉するための手段１３２０は、クッションカバー１３１０の交換、クリーニングなどのために、能動的支持クッション装置１２００の除去／挿入を可能にする。
【００３６】
図１４は、この発明の一実施例に従う、能動的支持クッション装置１４００の分解図を示す。一例においては、能動的支持クッション装置１４００は、第１の材料層１４３０、および第１の材料層１４３０を取り囲む材料壁１４４０を含む。一例においては、第１の材料層１４３０は、記憶フォーム、ウレタンフォームまたは他の同様の材料のような粘弾性材料を含む。この発明の一実施例においては、第１の材料層１４３０は、それぞれ、第１の材料層１４３０の頂部および底部に結合される、粘弾性部材１４２５および１４２０を含む。一例においては、粘弾性材料は記憶フォームまたは他の同様の材料を含む。
【００３７】
一例においては、第１の材料層１４３０は湾曲した形状を有する。別の例においては、粘弾性部材１４２０および１４２５は、互いを鏡映する湾曲形状または涙滴形状を有してもよい。
【００３８】
この発明の一実施例においては、粘弾性部材１４２０および１４２５は材料壁１４４０の縁部から予め定められる距離を変位させられる。一例においては、粘弾性部材１４２０および１４２５は、材料壁１４４０の縁部から１０ｍｍ〜２０ｍｍの範囲の距離を変位させられる。一例では、粘弾性部材１４２０および１４２５は、材料壁１４４０から予め定められる２０ｍｍ〜４０ｍｍの範囲の距離で位置決めされる。
【００３９】
この発明の一実施例においては、粘弾性部材１４２０および１４２５は、第１の材料層１４３０の厚みと等しいかまたはそれより大きい厚みを有してもよい。一例においては、第１の材料層１４３０の厚みは８ｍｍ〜１５ｍｍの範囲であり、粘弾性部材１４２０および１４２５の厚みは８ｍｍ〜１５ｍｍの範囲である。各粘弾性部材１４２０および１４２５の寸法は、長さ３０ｃｍ〜４０ｃｍ、および幅１２ｃｍ〜１６ｃｍの範囲であってもよい。この発明の一実施例においては、粘弾性部材１４２０および１４２５は、互いから２０ｃｍ〜３０ｃｍの範囲の距離だけ離れている。
【００４０】
この発明の一実施例においては、粘弾性部材１４２０および１４２５は、能動的支持クッション装置１４００の対向する端部上に配置される、粘弾性部材の対である。粘弾性部材１４２０および１４２５の対が示されているが、他の例は２つを超える粘弾性部材１４２０および１４２５を含んでもよいことが注目されるべきである。一例においては、各粘弾性部材１４２０および１４２５は複数の個々の粘弾性部材を含んでもよい。
【００４１】
この発明の一実施例においては、粘弾性部材１４２０および１４２５は、第１の材料部材１４３０に、接着剤、熱溶接、成型などを介して取付けられる。この発明の一実施例においては、粘弾性部材１４２０および１４２５ならびに第１の材料層１４３０は、単一のユニットとして形成される。一例においては、第１の材料層１４３０は、８ｍｍ〜２０ｍｍの範囲の、変動する厚みを有する。
【００４２】
この発明の一実施例においては、材料壁１４４０は、Ｓｐａｎｄｅｘ（登録商標）、綿ライクラ混合物、ポリプロピレン−Ｓｐａｎｄｅｘ（登録商標）混合物または他の同様の材料のような、ポリウレタンを含有するポリマーから形成される合成繊維材料を含む。この発明の他の実施例においては、材料壁は非弾性である。一例においては、材料壁１４４０は、粘弾性部材１４２０および１４２５を含む第１の材料層１４３０と相互に作用して、ユーザの解剖学的構造（たとえば頭部）が能動的支持クッション装置１４００の上に置かれたときにそれを能動的に支持する。
【００４３】
この発明の一実施例においては、能動的支持クッション装置１４００は第２の材料層１４１０および第３の材料層１４１５を含んでもよい。一例においては、第２の材料層１４１０は、能動的支持クッション装置１４００の外側上側カバーのために所望の材料を含んでもよく、第３の材料層１４１５は、能動的支持クッション装置１４００の外側下側カバーのために所望の材料を含んでもよい。一例においては、所望の材料は、綿、絹、チーズクロス、合成材料などを含んでもよい。
【００４４】
図１５は、この発明の実施例に従って、材料壁１４４０間において中央に置かれた第１の材料層１４３０ならびに粘弾性部材１４２０および１４２５を含むクッション装置１４００の斜視図を示す。一例においては、粘弾性部材１４２０および１４２５と結合された第１の材料層は、材料壁１４４０の中央からずれてもよい。一例においては、材料壁１４４０間において中央に置かれた第１の材料層１４３０ならびに粘弾性部材１４２０および１４２５の構成は、第１の材料層１４３０ならびに粘弾性部材１４２０および１４２５の撓むタイミング局面、および人の解剖学的構造（たとえば人の頭部）からクッション装置１４００にかけられている力に応答して材料壁１４４０によって後退すること／引くことを制御する。
【００４５】
図１６は、この発明の実施例に従う、能動的支持クッション装置１６００の正面断面図を示す。一例においては、能動的支持クッション装置１６００は充填材料１６１０を含む。一例においては、充填材料１６１０は、羽毛、合成羽毛、綿、羊毛、フォーム、ラテックス、ポリエステル、ＥＶＡフォーム、セルロース、有機材料、殻／外皮（たとえば、ソバ、豆の新芽、雑穀、カポックなど）、ポリオレエン（polyoleen）、無機材料などを含んでもよい。一例においては、充填材料１６１０は、第１の材料層１４３０の頂部部分より上および底部部分より下の容積を、粘弾性部材１４２０および１４２５、ならびに弾性壁１４４０とともに充填する。一例においては、保護被覆または袋によって、羽柄または他の羽毛部分のような充填材料１６１０の一部が第２の材料層１４１０および第３の材料層１４１５を通って突出するのを防ぐ。
【００４６】
能動的支持クッション装置１４００／１６００を含む上記の実施例は、第１の材料層１４３０ならびに粘弾性部材１４２０および１４２５特性を横方向において用い、ユーザの頭部を、回転している間でも、（頭部重量にかかわらず）「浮遊させる」。第１の材料層１４３０ならびに粘弾性部材１４２０および１４２５の特性は、第１の材料層１４３０ならびに粘弾性部材１４２０および１４２５の材料内への抵抗なしに、一貫した快適さを形成する。充填物１６１０は、快適層（柔軟な基材）を加え、それはユーザの頭部を支持し、充填材料１６１０および材料壁１４４０を通る通気を可能にする。通気は蓄熱を防ぐ。その純効果は、クッション装置１４００／１６００の使用が、ユーザの頭部がその下の支持であたかも「浮揚している」かのように感じて、首および頭部の筋肉の自然な緩和を可能にすることである。支持クッション装置１４００／１６００は、すべての睡眠姿勢に対して、同じまたは同様の結果を伴って用いられるであろう。
【００４７】
この発明の他の実施例においては、能動的支持クッション装置１００／３００／１０００およびクッション装置１４００／１６００と同様のクッション装置は、マットレスシステムの車椅子クッションおよび部分における使用のために設計され構成されてもよい。
【００４８】
上記の記載においては、多数の具体的な詳細が述べられている。しかしながら、この発明の実施例はこれらの具体的な詳細なしで実施されてもよいことが理解される。たとえば、周知の等価な構成要素および要素が、ここに記載されたものの代わりに置換されてもよく、同様に、周知の等価な技術が、開示された特定の技術の代わりに置換されてもよい。他の例においては、周知の構造および技術は、この記載の理解を不明瞭にしないようにするために、詳細には示されていない。
【００４９】
明細書における「ある実施例」、「一実施例」、「いくつかの実施例」または「他の実施例」への言及は、実施例と関連して記載された特定の特徴、構造または特性は、少なくともいくつかの実施例において含まれ、必ずしもすべての実施例に含まれるわけではないことを意味する。「ある実施例」、「一実施例」または「いくつかの実施例」のさまざまな出現は、必ずしもすべて同じ実施例を参照してはいない。構成要素、特徴、構造または特性が「含まれてもよい」、「含まれるかもしれない」、または「含まれることがある」、と明細書が述べる場合、その特定の構成要素、特徴、構造または特性は、含まれる必要はない。明細書または請求項が「ある」要素に言及する場合、それは、その要素が１つだけあることを意味しない。明細書または請求項が「あるさらなる」要素に言及する場合、それは、１つを超えるさらなる要素があることを排除しない。
【００５０】
ある例示的な実施例が添付の図面において記載され示されたが、そのような実施例は広い発明の単に例証であり、広い発明において限定的でないこと、ならびにこの発明は示され記載される具体的な構築物および構成に限定されないことが理解され、なぜならば、さまざまな他の修正が当業者には思い浮かび得るからである。
【図１】
2014525316.tif 000003
【図２Ａ】
2014525316.tif 000004
【図２Ｂ】
2014525316.tif 000005
【図３】
2014525316.tif 000006
【図４】
2014525316.tif 000007
【図５】
2014525316.tif 000008
【図６】
2014525316.tif 000009
【図７】
2014525316.tif 000010
【図８Ａ】
2014525316.tif 000011
【図８Ｂ】
2014525316.tif 000012
【図９Ａ】
2014525316.tif 000013
【図９Ｂ】
2014525316.tif 000014
【図１０】
2014525316.tif 000015
【図１１Ａ】
2014525316.tif 000016
【図１１Ｂ】
2014525316.tif 000017
【図１２】
2014525316.tif 000018
【図１３】
2014525316.tif 000019
【図１４】
2014525316.tif 000020
【図１５】
2014525316.tif 000021
【図１６】
2014525316.tif 000022
【手続補正書】
【提出日】平成25年1月2日(2013.1.2)
【手続補正１】
【補正対象書類名】特許請求の範囲
【補正対象項目名】全文
【補正方法】変更
【補正の内容】
【特許請求の範囲】
【請求項１】
第１の複数の粘弾性部材（１３０、１３５）と結合された第１の材料層（１２０）と；
第２の複数の粘弾性部材（１３０、１３５）と結合された第２の材料層（１２５）と；
前記第１の材料層（１２０）および前記第２の材料層（１２５）を取り囲む材料壁（１１０）と；
前記第１の材料層（１２０）と前記第２の材料層（１２５）との間に配置された第１の充填材料（３１０）とを含む、クッション装置。
【請求項２】
前記第１の材料層（１２０）の頂部部分に結合された第３の材料層（１４０）と；
前記第２の材料層（１２５）の底部部分に結合された第４の材料層（１４５）とをさらに含む、請求項１に記載のクッション装置。
【請求項３】
前記材料壁（１１０）は弾性材料を含み、前記弾性材料は、ポリウレタンを含有するポリマーから形成される合成繊維材料を含む、請求項１に記載のクッション装置。
【請求項４】
前記第１の複数の粘弾性部材（１３０、１３５）は第１の対向する粘弾性部材の対を含み、前記第２の複数の粘弾性部材（１３０、１３５）は第２の対向する粘弾性部材の対を含む、請求項１に記載のクッション装置。
【請求項５】
前記第１の対向する粘弾性部材の対の各部材（１３０、１３５）および前記第２の対向する粘弾性部材の対の各部材（１３０、１３５）は、前記材料壁（１１０）の縁部から予め定められた距離を変位させられる、請求項４に記載のクッション装置。
【請求項６】
前記第１の材料層（１２０）と前記第２の材料層（１２５）との間に配置された第２の充填材料（１０１０）をさらに含み、前記第２の充填材料は前記クッション装置の堅固さを調整する、請求項５に記載のクッション装置。
【請求項７】
前記第１の材料層（１２０）および前記第２の材料層（１２５）は、各々、粘弾性材料を含む、請求項１に記載のクッション装置。
【請求項８】
前記第１の対向する粘弾性部材の対の各部材（１３０、１３５）は、前記第１の材料層（１２０）以上の厚みを有し、前記第２の対向する粘弾性部材の対の各部材（１３０、１３５）は、前記第２の材料層（１２５）以上の厚みを有する、請求項７に記載のクッション装置。
【請求項９】
変動する厚みを有する第１の材料層（１２０）を含み、前記第１の材料層は少なくとも１つの粘弾性材料を含み；さらに、
第２の材料層（１２５）と；
前記第１の材料層および前記第２の材料層を取り囲む材料壁（１１０）と；
前記第１の材料層と前記第２の材料層との間に配置された第１の充填材料（３１０）とを含む、クッション装置。
【請求項１０】
前記第２の材料層（１２５）は少なくとも１つの粘弾性材料を含む、請求項９に記載のクッション装置。
【請求項１１】
前記第１の材料層（１２０）の頂部部分に結合された第３の材料層（１４０）をさらに含む、請求項９に記載のクッション装置。
【請求項１２】
前記第２の材料層（１２５）の底部部分に結合された第４の材料層（１４５）をさらに含む、請求項１１に記載のクッション装置。
【請求項１３】
前記材料壁（１１０）は弾性材料を含み、前記弾性材料は、ポリウレタンを含有するポリマーから形成される合成繊維材料を含む、請求項９に記載のクッション装置。
【請求項１４】
前記第１の材料層（１２０）は、第１の対向する粘弾性部材（１３０、１３５）の対を含む、請求項９に記載のクッション装置。
【請求項１５】
前記第１の対向する粘弾性部材の対の各部材（１３０、１３５）は、前記材料壁（１１０）の縁部から予め定められた距離を変位させられる、請求項１４に記載のクッション装置。
【請求項１６】
前記第１の材料層（１２０）と前記第２の材料層（１２５）との間に配置された第２の充填材料（１０１０）をさらに含み、前記第２の充填材料は前記クッション装置の堅固さを調整する、請求項１５に記載のクッション装置。
【請求項１７】
対向する粘弾性部材の第１の対（１３０、１３５）と結合された第１の粘弾性材料層（１２０）と；
対向する粘弾性部材の第２の対（１３０、１３５）と結合された第２の粘弾性材料層（１２５）と；
前記第１の材料層および前記第２の材料層を取り囲む材料壁（１１０）とを含み、前記材料壁は、ポリウレタンを含有するポリマーから形成される合成繊維材料を含み；さらに、
前記第１の材料層と前記第２の材料層との間に配置された第１の充填材料（３１０）を含む、支持枕。
【請求項１８】
前記第１の材料層（１２０）の頂部部分に結合された第３の材料層（１４０）と；
前記第２の材料層（１２５）の底部部分に結合された第４の材料層（１４５）とをさらに含む、請求項１７に記載の支持枕。
【請求項１９】
前記第１の対向する粘弾性部材の対の各部材（１３０、１３５）および前記第２の対向する粘弾性部材の対の各部材（１３０、１３５）は、前記材料壁（１１０）の縁部から予め定められた距離を変位させられる、請求項１７に記載の支持枕。
【請求項２０】
前記第１の材料層（１２０）と前記第２の材料層（１２５）との間に配置された第２の充填材料（１０１０）をさらに含み、前記第２の充填材料はクッション装置の堅固さを調整する、請求項１９に記載の支持枕。
【請求項２１】
第１の複数の粘弾性部材（１４２０）および第２の複数の粘弾性部材（１４２５）と結合された第１の材料層（１４３０）と；
前記第１の材料層（１４３０）を取り囲む材料壁（１４４０）と；
前記第１の材料層（１４３０）の第１の側および前記第１の材料層（１４３０）の第２の側に結合された第１の充填材料（１６１０）とを含む、クッション。
【請求項２２】
前記材料壁（１４４０）の頂部部分に結合された第２の材料層（１４１０）と；
前記材料壁（１４４０）の底部部分に結合された第３の材料層（１４１５）とをさらに含む、請求項２１に記載のクッション。
【請求項２３】
前記材料壁（１４４０）は弾性材料を含み、前記弾性材料は、ポリウレタンを含有するポリマーから形成される合成繊維材料を含む、請求項２１に記載のクッション。
【請求項２４】
前記第１の複数の粘弾性部材（１４２０）は、第１の対向する粘弾性部材の対を含み、前記第２の複数の粘弾性部材（１４２５）は、第２の対向する粘弾性部材の対を含む、請求項２１に記載のクッション。
【請求項２５】
前記第１の対向する粘弾性部材の対の各部材（１４２０）、および前記第２の対向する粘弾性部材の対の各部材（１４２５）は、前記材料壁（１４４０）の縁部から予め定められた距離を変位させられる、請求項２４に記載のクッション。
【請求項２６】
前記充填材料（１６１０）とともに分散された浮遊材料（１０２０）をさらに含む、請求項２５に記載のクッション。
【請求項２７】
前記第１の材料層（１４３０）は粘弾性材料を含む、請求項２１に記載のクッション。
【請求項２８】
前記第１の対向する粘弾性部材の対の各部材（１４２０）は、前記第１の材料層（１４３０）以上の厚みを有し、前記第２の対向する粘弾性部材の対の各部材（１４２５）は、前記第１の材料層（１４３０）以上の厚みを有する、請求項２７に記載のクッション。
【請求項２９】
各材料層（１２０、１２５）は前記材料壁（１１０）に取付けられる、請求項１に記載のクッション装置。
【請求項３０】
前記クッション装置は、前記クッション装置にかけられる力に抵抗を与え；
前記材料壁（１１０）および前記粘弾性部材（１３０、１３５）は、前記クッション装置にかけられる力に対する前記クッション装置の抵抗を制御する、請求項２９に記載のクッション装置。
【請求項３１】
各材料層（１２０、１２５）は双方向の記憶保持力のある粘弾性フォームを含み；
各材料層（１２０、１２５）に結合された各粘弾性部材（１３０、１３５）は、前記クッション装置に力がかけられると、前記材料層（１２０、１２５）の伸長を制御する、請求項３０に記載のクッション装置。
【請求項３２】
前記材料壁（１１０）は双方向ファブリックを含み；
前記クッション装置に力がかけられると、前記材料壁（１１０）は各取付けられた材料層（１２０、１２５）上で押したり引いたりする、請求項３０に記載のクッション装置。
【請求項３３】
各材料層（１２０、１２５）に結合された各粘弾性部材（１３０、１３５）は分離しており、前記材料層（１２０、１２５）に結合された他の粘弾性部材（１３０、１３５）から間隔を置かれる、請求項１に記載のクッション装置。
【請求項３４】
前記第１の材料層（１４３０）に結合された各粘弾性部材（１４２０、１４２５）は、前記クッション装置に力がかけられたとき、前記第１の材料層（１４３０）の撓みを制御する、請求項２１に記載のクッション。
【請求項３５】
前記クッション装置に力がかけられると、前記材料壁（１４４０）は、前記第１の材料層（１４３０）上で押したり引いたりする、請求項３０に記載のクッション。
【請求項３６】
前記第１の材料層（１４３０）に結合された各粘弾性部材（１４２０、１４２５）は分離しており、前記第１の材料層（１４３０）に結合された他の粘弾性部材（１４２０、１４２５）から間隔を置かれる、請求項２１に記載のクッション。
【国際調査報告】
2014525316.tif 000023